(57)【要約】【課題】 コンテナ船１全体の軽量化を図ること、セルガイド３１の搬送、取付等が簡単にして、コンテナ船１の造船に要する一連の作業の能率の向上を図ること。【解決手段】縦揺れに伴う船軸方向に対向する第２フランジ３５間の最大変位量をＸ、船軸方向に対向する第２フランジ３５間の距離からコンテナ３の船軸方向の長さを引いた値をα1、船舷方向に対向する第１フランジ３３間の距離からコンテナ３の船舷方向の長さを引いた値をα2、コンテナ３の船軸方向のマイナス長さ公差をβ1、コンテナ３の船舷方向のマイナス長さ公差をβ2、船軸方向の安全マージン長さをＭ1、船舷方向の安全マージン長さをＭ2とした場合に、第１フランジ３３の船軸方向の長さ（Ｌ1）が（Ｘ＋α1＋β1とＭ1）により設定されると共に、第２フランジ３５の船舷方向の長さ（Ｌ2）が（α2＋β2＋Ｍ2）により設定されるように構成されたこと。【選択図】  図１
2006188083.tif 000002
【特許請求の範囲】
【請求項１】
多数のコンテナを海上輸送するコンテナ船の船倉内に立設され、前記コンテナの隅部を上下方向へ案内するコンテナ船のセルガイドにおいて、
第１フランジと第２フランジとを有した山形鋼からなるものであって、前記第１フランジと前記第２フランジとの突出方向の長さが異なることを特徴とするコンテナ船のセルガイド。
【請求項２】
前記第１フランジを船軸方向を突出させると共に、前記第２フランジを船舷方向へ突出させ、前記第２フランジの船舷方向の長さを前記第１フランジの船軸方向の長さよりも短くしたことを特徴とする請求項１に記載のコンテナ船のセルガイド。
【請求項３】
多数のコンテナを海上輸送するコンテナ船において、
船体と；
前記船体の内側に船軸方向に間隔を置いて立設され、船舷方向へ延びてあって、前記船体の内側の船体空間を複数の船倉に区画する複数の横置隔壁と；
前記船体の上側に設けられ、前記船倉内に通じる複数のハッチを船軸方向へ間隔を置いて有した甲板と；
前記船倉内に船軸方向及び船舷方向へ列状に配設され、前記横置隔壁に前記船体の船底から前記甲板にかけてそれぞれ延設されたセルガイドを４本それぞれ備えてあって、多段状の前記コンテナの四隅をそれぞれ上下方向へ案内する多数のセルガイド群と；を具備しており、
前記セルガイドは、船軸方向へ突出した第１フランジと船舷方向へ突出した第２フランジと有した山形鋼からなるものであって、前記第１フランジの船軸方向の長さと前記第２フランジの船舷方向の長さが異なることを特徴とするコンテナ船。
【請求項４】
前記第２フランジの船舷方向の長さを前記第１フランジの船軸方向の長さよりも短くしたことを特徴とする請求項３に記載のコンテナ船。
【請求項５】
多数のコンテナを海上輸送するコンテナ船において、
船体と；
前記船体の内側に船軸方向に間隔を置いて立設され、船舷方向へ延びてあって、前記船体の内側の船体空間を複数の船倉に区画する複数の横置隔壁と；
前記船体の上側に設けられ、前記船倉内に通じる複数のハッチを船軸方向へ間隔を置いて有した甲板と；
前記船倉内に船軸方向及び船舷方向へ列状に配設され、前記横置隔壁に前記船体の船底から前記甲板にかけて延設されたかつ船軸方向へ突出した第１フランジと船舷方向へ突出した第２フランジと有した山形鋼からなるセルガイドを４本それぞれ備えてあって、多段状の前記コンテナの四隅をそれぞれ上下方向へ案内する多数のセルガイド群と；を具備しており、
自己の縦揺れに伴う船軸方向に対向する前記第２フランジ間の最大変位量をＸとし、船軸方向に対向する前記第２フランジ間の距離から前記コンテナの船軸方向の長さを引いた値をα1とし、船舷方向に対向する前記第１フランジ間の距離から前記コンテナの船舷方向の長さを引いた値をα2とし、前記コンテナの船軸方向のマイナス長さ公差をβ1とし、前記コンテナの船舷方向のマイナス長さ公差をβ2とし、船軸方向の安全マージン長さをＭ1とし、船舷方向の安全マージン長さをＭ2とした場合に、
前記第１フランジの船軸方向の長さ（Ｌ1）が（Ｘ＋α1＋β1とＭ1）により設定されると共に、前記第２フランジの船舷方向の長さ（Ｌ2）が（α2＋β2＋Ｍ2）により設定されるように構成されたことを特徴とするコンテナ船。
【請求項６】
船軸方向の安全マージン長さ（Ｍ1）は、船舷方向の安全マージン長さ（Ｍ2）よりも長いことを特徴とする請求項５に記載のコンテナ船。
【発明の詳細な説明】
【技術分野】
【０００１】
本発明は、多数のコンテナを海上輸送するコンテナ船、及び前記コンテナ船に用いられるコンテナ船のセルガイドに関する。
【背景技術】
【０００２】
従来のコンテナ船の構成について簡単に説明すると、次のようになる。
【０００３】
即ち、前記コンテナ船は、多数のコンテナを海上輸送するものであって、船体を具備している。また、前記船体の内側には、船舷方向（換言すれば左右方向）へ延びた複数の横置隔壁が船軸方向（換言すれば前後方向）に間隔を置いて立設されており、複数の前記横置隔壁は、前記船体の内側の船体空間を複数の船倉に区画するものである。
【０００４】
前記船体の上側には、甲板が設けられており、この甲板は、前記船倉内に通じる複数のハッチを船軸方向に間隔を置いて有している。また、前記甲板には、対応関係にある前記ハッチを開閉する複数のハッチカバーが船軸方向に間隔を置いて設けられている。
【０００５】
前記船倉内には、多数のセルガイド群が船軸方向及び船舷方向へ列状に配設されており、多数のセルガイド群は、多段状の前記コンテナ（多段に積載される前記コンテナ）の四隅をそれぞれ上下方向へ案内するものであって、前記横置隔壁に前記船体の船底から前記甲板にかけて延設されたセルガイドを４本それぞれ備えている。ここで、前記セルガイドは、船軸方向へ突出した第１フランジと船舷方向へ突出した第２フランジと有した等辺山形鋼からなるものである。また、前記第１フランジの船舷方向の長さ及び前記第２フランジの船軸方向の長さは、前記コンテナ船の縦揺れに伴う船軸方向に対向する前記第２フランジ間の最大変位量等に基づいて設定されている。
【０００６】
なお、本発明に関連する先行技術として特許文献１、特許文献２に示すものがある。
【特許文献１】特開平７−６９２７４号公報
【特許文献２】特開２００２−２４９０９５号公報
【発明の開示】
【発明が解決しようとする課題】
【０００７】
ところで、前述のように、前記セルガイドは前記船体の船底から前記甲板にかけて延設されており、前記セルガイドの長さは前記船倉内の室内高さに応じて長くなって、前記セルガイドの重量が増大する。そのため、前記コンテナ船全体の軽量化の障害になると共に、前記セルガイドの搬送、取付等が厄介になって、前記コンテナ船の造船に要する一連の作業（前記セルガイドの搬送作業、前記セルガイドの取付作業を含む）が煩雑化するという問題がある。
【課題を解決するための手段】
【０００８】
本発明の第１の特徴は、多数のコンテナを海上輸送するコンテナ船の船倉内に立設され、前記コンテナの隅部を上下方向へ案内するコンテナ船のセルガイドにおいて、
第１フランジと第２フランジとを有した山形鋼からなるものであって、前記第１フランジと前記第２フランジとの突出方向の長さが異なることである。
【０００９】
本発明の第１の特徴によると、前記第１フランジと前記第２フランジとの突出方向の長さが異なるため、前記セルガイドの長さが前記船倉内の室内高さに応じて長くなっても、前記セルガイドの重量増大を抑えることができる。
【００１０】
また、本発明の第２の特徴は、多数のコンテナを海上輸送するコンテナ船において、
船体と；
前記船体の内側に船軸方向に間隔を置いて立設され、船舷方向へ延びてあって、前記船体の内側の船体空間を複数の船倉に区画する複数の横置隔壁と；
前記船体の上側に設けられ、前記船倉内に通じる複数のハッチを船軸方向へ間隔を置いて有した甲板と；
前記船倉内に船軸方向及び船舷方向へ列状に配設され、前記横置隔壁に前記船体の船底から前記甲板にかけて延設されたセルガイドを４本それぞれ備えてあって、多段状の前記コンテナ（多段に積載される前記コンテナ）の四隅をそれぞれ上下方向へ案内する多数のセルガイド群と；を具備しており、
前記セルガイドは、船軸方向へ突出した第１フランジと船舷方向へ突出した第２フランジと有した山形鋼からなるものであって、前記第１フランジの船軸方向の長さと前記第２フランジの船舷方向の長さが異なることである。
【００１１】
本発明の第２の特徴によると、前記第１フランジの船軸方向の長さと前記第２フランジの船舷方向の長さが異なるため、前記セルガイドの長さが前記船倉内の室内高さに応じて長くなっても、前記セルガイドの重量増大を抑えることができる。
【００１２】
本発明の第３の特徴は、多数のコンテナを海上輸送するコンテナ船において、
船体と；
前記船体の内側に船軸方向に間隔を置いて立設され、船舷方向へ延びてあって、前記船体の内側の船体空間を複数の船倉に区画する複数の横置隔壁と；
前記船体の上側に設けられ、前記船倉内に通じる複数のハッチを船軸方向へ間隔を置いて有した甲板と；
前記船倉内に船軸方向及び船舷方向へ列状に配設され、前記横置隔壁に前記船体の船底から前記甲板にかけて延設されたかつ船軸方向へ突出した第１フランジと船舷方向へ突出した第２フランジと有した山形鋼からなるセルガイドを４本それぞれ備えてあって、多段状の前記コンテナ（多段に積載される前記コンテナ）の四隅をそれぞれ上下方向へ案内する多数のセルガイド群と；を具備しており、
自己の縦揺れに伴う船軸方向に対向する前記第２フランジ間の最大変位量をＸとし、船軸方向に対向する前記第２フランジ間の距離から前記コンテナの船軸方向の長さを引いた値をα1とし、船舷方向に対向する前記第１フランジ間の距離から前記コンテナの船舷方向の長さを引いた値をα2とし、前記コンテナの船軸方向のマイナス長さ公差をβ1とし、前記コンテナの船舷方向のマイナス長さ公差をβ2とし、船軸方向の安全マージン長さをＭ1とし、船舷方向の安全マージン長さをＭ2とした場合に、
前記第１フランジの船軸方向の長さ（Ｌ1）が（Ｘ＋α1＋β1とＭ1）により設定されると共に、前記第２フランジの船舷方向の長さ（Ｌ2）が（α2＋β2＋Ｍ2）により設定されるように構成されたことである。
【００１３】
本発明の第３の特徴における要部は、前記第２フランジの船舷方向の長さ（Ｌ2）は、前記コンテナ船の縦揺れ又は横揺れを考慮することなく設定できるという、新規な知見に基づくものである。また、前記新規な知見は、前記セルガイドが前記コンテナ船の縦揺れによって船軸方向に変位するだけであって、船舷方向に変位するものでないこと、及び前記セルガイドが前記横置隔壁に前記船体の船底から前記甲板にかけて延設されてあって、前記コンテナ船の横揺れに伴う船舷方向に対向する前記第１フランジ間の変位を無視できることから得られたものである。
【００１４】
本発明の第３の特徴によると、前記コンテナ船は、前記第１フランジの船軸方向の長さ（Ｌ1）が（Ｘ＋α1＋β1とＭ1）により設定される共に、前記第２フランジの船舷方向の長さ（Ｌ2）が（α2＋β2＋Ｍ2）により設定されるように構成されているため、前記新規に知見に基づいて、前記第２フランジの船舷方向の長さ（Ｌ2）を前記第１フランジの船軸方向の長さ（Ｌ1）よりも短くすることができる。これにより、前記セルガイドの長さが前記船倉内の室内高さに応じて長くなっても、前記セルガイドの重量増大を抑えることができる。
【発明の効果】
【００１５】
本発明によれば、前記セルガイドの長さが前記船倉内の室内高さに応じて長くなっても、前記セルガイドの重量増大を抑えることができるため、前記コンテナ船全体の軽量化を図ることができると共に、前記セルガイドの搬送、取付等が簡単になって、前記コンテナ船の造船に要する一連の作業の能率の向上を図ることができる。
【発明を実施するための最良の形態】
【００１６】
本発明の実施形態について図１から図６を参照して説明する。
【００１７】
図１（ａ）は、通常の載置状態にあるコンテナとセルガイド群における４本のセルガイドとの位置関係を示す模式的な図であって、図１（ｂ）は、偏った載置状態にあるコンテナとセルガイド群における４本のセルガイドとの位置関係を示す模式的な図であって、図２は、図５における矢視部IIの拡大図であって、図３は、本発明の実施形態に係わるコンテナ船の側面図であって、図４は、図３におけるIV-IV線に沿った図であって、図５は、図４におけるV-V線に沿った図であって、図６（ａ）は、コンテナ船に縦揺れが生じる前におけるセルガイドの状態を示す模式的な図であって、図６（ｂ）は、コンテナ船に縦揺れが生じたときにおけるセルガイドの状態を示す図である。なお、図面中、「ＦＦ」は、前方向を指してあって、「ＦＲ」は、後方向を指し、「Ｌ」は、左方向を指し、「Ｒ」は、右方向を指している。
【００１８】
図３及び図４に示すように、本発明の実施形態に係わるコンテナ船１は、多数のコンテナ３を海上輸送するものであって、船体５を具備している。そして、船体５は、二重殻構造になっており、船体外殻７と、この船体外殻７の内側に一体的に設けられた船体内殻９とを備えている。
【００１９】
船体内殻９における後部近傍には、機関室１１が設けられており、この機関室１１には、ディーゼルエンジン（図示省略）が配設されている。また、船体外殻７の後部には、推進プロペラ１３が回転可能に設けられており、この推進プロペラ１３は、前記ディーゼルエンジンにおける出力軸（図示省略）に連動連結されてあって、船体外殻７における推進プロペラ１３の後方には、舵１５が設けられている。更に、機関室１１の上側には、複数段の住居室１７が設けられており、最上段の住居室１７の上側には、操舵室１９が設けられている。
【００２０】
船体内殻９には、船舷方向（換言すれば、左右方向）へ延びた複数の横置隔壁２１が船軸方向（換言すれば、前後方向）に間隔を置いて立設されており、複数の横置隔壁２１は、船体内殻９の内側の船体空間を複数の船倉２３に区画するものである。また、船体外殻７の上側には、甲板２５が設けられており、この甲板２５は、複数のハッチ２７（図４中において１つのみ図示、図３中においては図示省略）を船軸方向へ間隔を置いて有してあって、甲板２５には、対応関係にあるハッチ２７を開閉する複数のハッチカバー２９が設けられている。なお、ハッチカバー２９上には、多段多列に積載したコンテナ３がコンテナ固縛装置（図示省略）によって固縛されている。
【００２１】
図２、図４、及び図５に示すように、船倉２３内には、多数のセルガイド群３１Ｇが船軸方向及び船舷方向へ列状に配設されており、多数のセルガイド群３１Ｇは、多段状のコンテナ３の四隅をそれぞれ上下方向へ案内するものであって、横置隔壁２１に船体内殻７の船底から甲板２５にかけて延設されたセルガイド（コンテナ船のセルガイド）３１を４本それぞれ備えている。ここで、セルガイド３１は、船軸方向へ突出した第１フランジ３３と船舷方向へ突出した第２フランジ３５と有した山形鋼からなるものであって、第２フランジ３５の船舷方向の長さを第１フランジ３３の船軸方向の長さよりも短くしている。なお、セルガイド３１は、横置隔壁２１に水平リブ３７によって一体的に接合されてあって、左右に隣接するセルガイド３１は、水平リブ３７によって一体化されている。
【００２２】
次に、本発明の実施形態の要部について説明する。
【００２３】
図１（ａ）（ｂ）に示すように、まず、コンテナ船１の縦揺れに伴う船軸方向に対向するセルガイド３１間の最大変位量をＸとし、船軸方向に対向する第２フランジ３５間の距離（Ｖ1）からコンテナ３の船軸方向の長さ（Ｃ1）を引いた値をα1とし、船舷方向に対向する第１フランジ３３間の距離（Ｖ2）からコンテナ３の船舷方向の長さ（Ｃ2）を引いた値をα2とし、コンテナ３の船軸方向のマイナス長さ公差をβ1とし、コンテナ３の船舷方向のマイナス長さ公差をβ2とし、船軸方向の安全マージン長さをＭ1とし、船舷方向の安全マージン長さをＭ2とする（所定の条件）。
【００２４】
ここで、最大変位量（Ｘ）は、図６（ａ）（ｂ）に示すように、コンテナ船１に縦揺れが生じたときにおける船軸方向に対向する第２フランジ３５間の距離（Ｖ1’）から、コンテナ船１に縦揺れが生じる前における船軸方向に対向する第２フランジ３５間の距離（Ｖ1）を引くことによって決定される。また、コンテナ船１に縦揺れが生じたときにおける船軸方向に対向する第２フランジ３５間の距離（Ｖ1’）は、コンテナ船１の構成部材の具体的な長さ、海上の状況等を考慮して決定される。更に、引いた値（α1）は、引いた値（α2）よりも大きく、コンテナ３の船軸方向のマイナス長さ公差（β1）は、コンテナ３の船舷方向のマイナス長さ公差（β2）はよりも大きいものであって、船軸方向の安全マージン長さ（Ｍ1）は、船舷方向の安全マージン長さ（Ｍ2）よりも長いものである。
【００２５】
そして、コンテナ船１は、前記所定の条件の下で、第１フランジ３３の船軸方向の長さ（Ｌ1）が（Ｘ＋α1＋β1とＭ1）により設定されると共に、第２フランジ３５の船舷方向の長さ（Ｌ2）が（α2＋β2＋Ｍ2）により設定されるように構成されている。これは、第２フランジ３５の船舷方向の長さ（Ｌ2）は、コンテナ船１の縦揺れ又は横揺れを考慮することなく設定できるという、新規な知見に基づくものである。また、前記新規な知見は、セルガイド３１がコンテナ船１の縦揺れによって船軸方向に変位するだけであって、船舷方向に変位するものでないこと、及び各々のセルガイド３１が横置隔壁２１の壁面にそれぞれ一体的に接合されてあって、コンテナ船１の横揺れに伴う船舷方向に対向する第１フランジ３３間の変位を無視できることから得られたものである。
【００２６】
次に、本発明の実施形態の作用、効果について説明する。
【００２７】
コンテナ船１は、第１フランジ３３の船軸方向の長さ（Ｌ1）が（Ｘ＋α1＋β1とＭ1）により設定される共に、第２フランジ３５の船舷方向の長さ（Ｌ2）が（α2＋β2＋Ｍ2）により設定されるように構成されているため、前記新規に知見に基づいて、第２フランジ３５の船舷方向の長さ（Ｌ2）を第１フランジ３３の船軸方向の長さ（Ｌ1）よりも短くすることができる。これにより、セルガイド３１の長さが船倉２３内の室内高さに応じて長くなっても、セルガイド３１の重量増大を抑えることができる。
【００２８】
従って、本発明の実施形態によれば、コンテナ船１全体の軽量化を図ることができると共に、セルガイド３１の搬送、取付等が簡単になって、コンテナ船１の造船（製造）に要する一連の作業の能率の向上を図ることができる。
【００２９】
なお、本発明は、実施形態の説明に限るものではなく、適宜の変更を行うことにより、その他種々の態様で実施可能である。また、本発明に包含される権利範囲は、前述の実施形態の説明に限定されないものである。
【００３０】
なお、本発明は、
【図面の簡単な説明】
【００３１】
【図１】図１（ａ）は、通常の載置状態にあるコンテナとセルガイド群における４本のセルガイドとの位置関係を示す模式的な図であって、図１（ｂ）は、偏った載置状態にあるコンテナとセルガイド群における４本のセルガイドとの位置関係を示す模式的な図である。
【図２】図５における矢視部IIの拡大図である。
【図３】本発明の実施形態に係わるコンテナ船の側面図であって、一部を破断してある。
【図４】図３におけるIV-IV線に沿った図である。
【図５】図４におけるV-V線に沿った図である。
【図６】図６（ａ）は、コンテナ船に縦揺れが生じる前におけるセルガイドの状態を示す模式的な図であって、図６（ｂ）は、コンテナ船に縦揺れが生じたときにおけるセルガイドの状態を示す図である。
【符号の説明】
【００３２】
１          コンテナ船
３          コンテナ
２３          船倉
３１Ｇ        セルガイド群
３１          セルガイド
３３          第１フランジ
３５          第２フランジ
【図１】
2006188083.tif 000003
【図２】
2006188083.tif 000004
【図３】
2006188083.tif 000005
【図４】
2006188083.tif 000006
【図５】
2006188083.tif 000007
【図６】
2006188083.tif 000008